(57)【特許請求の範囲】
【請求項１】
利用者との間で所定の取引を行う取引処理装置であって、
外部から供給される電力の供給断を検知する検知部と、
前記電力の供給断を前記利用者に知らせる情報、および前記取引の中止を選択させる画面情報を表示する操作部と、
前記検知部が前記電力の供給断を検知した場合に、前記取引に関する処理が実行中であるか否か、および前記電力の供給断の状態であるか否かを判定し、前記取引に関する処理が実行中であり、かつ前記電力の供給断の状態であると判定した場合に、前記画面情報を前記操作部に表示させる制御部と、
を備えることを特徴とする取引処理装置。
【請求項２】
前記検知部が前記電源断を検知してからの経過時間をカウントするカウンタをさらに備え、
前記制御部は、さらに前記経過時間を前記画面情報に表示させる、
ことを特徴とする請求項１に記載の取引処理装置。
【請求項３】
前記検知部は、外部から供給される前記電力の電圧値が所定の閾値以下となった場合に、前記取引処理装置の電源断を検知する、
ことを特徴とする請求項１または２に記載の取引処理装置。
【請求項４】
前記検知部が電源断を検知した場合に、前記取引処理装置に予備的に電力を供給する蓄電部と、
前記検知部が電源断を検知した場合に、前記電力の供給元を主電源から前記蓄電部に切り替える切替手段と、をさらに備え、
前記制御部は、前記電力の供給断の状態ではないと判定した場合に、電源が復旧するまで待機していた前記取引に関する処理を再開させるとともに、前記電力の供給元を前記主電源に戻すように制御する、
ことを特徴とする請求項１〜３のいずれか１項に記載の取引処理装置。
【発明の詳細な説明】
【技術分野】
【０００１】
本発明は、利用者との間で所定の取引を行う取引処理装置に関し、特に、取引処理実行時に供給される電源の制御に関する。
【背景技術】
【０００２】
近年、利用者からのタッチ操作等を受け付けて所望の取引を実現する、例えば、ＡＴＭ（Automatic  Teller  Machine）のような取引処理装置の発達が目覚しい。このような取引処理装置の普及と、その取引処理装置の利用者の増加に伴って、利便性の向上が求められている。
【０００３】
通常、上述した取引処理装置が取り扱う取引の内容はあらかじめ登録されており、利用者が、登録されたその取引の内容に疑問や問題が生じた場合には、ベル等で係員を呼び出して対応を請うことになっている。したがって、取引処理装置には、このような場合に備えて、実行中の取引を一時的に中止できる「中断キー」が設けられる場合がある。
【０００４】
例えば、特許文献１には、利用者が、中断キーとテンキーの任意の数字とを押下することによって取引を中断する。そして、中断した取引を再開する場合には、利用者が任意の数字を再入力し、両者の数字が一致した場合に、中断した取引を再開する取引制御技術が開示されている。
【０００５】
上述した取引処理装置が取り扱う取引は重要性が極めて高いため、瞬時に電源が落ちた場合（電源断の場合）等の非常時であっても、平常時と同様に、取引を行う種々のデータの保護や、取引処理の整合性を維持することが強く求められている。
【０００６】
例えば、特許文献２には、電源断の場合の対策として、取引処理装置を継続して稼動するために必要な大量の電力を安定して供給するための大容量バッテリ、無停電電源装置（以下ＵＰＳと呼ぶ。）を設置する他、バックアップ電源を用いて、取引処理の運用を停止する理由をパネル等に表示させている。
【０００７】
また、特許文献３には、ＩＣカード等の媒体の排出条件を取引処理の進捗状況に対応させてメモリ上に記憶させ、電源断を検知した場合、メモリ上に記憶された排出条件を読み出してカード排出の有無を決定する技術が開示されている。
【０００８】
さらに、特許文献４には、取引処理を実行中に電源断が生じた場合に備えて、取引処理の実行状況に応じて対応する動作を事前に設定し、電源断が生じた場合には、自動的にバッテリ電源に切替えて取引処理を継続し、完了させる技術が開示されている。
【０００９】
また、特許文献５には、搬送中の紙幣や硬貨の所在をメモリに順次記憶し、電源が復旧した後に、監視センタの係員が利用者とインターホン等で金額を確認し、遠隔操作によって、メモリを読み出して搬送中の紙幣や硬貨が返却可能な状態であるか否かを判断した上で利用者に現金を返却する技術が開示されている。
【先行技術文献】
【特許文献】
【００１０】
【特許文献１】特開２００２−１１７４４０号公報
【特許文献２】特開平１０−６９５６４号公報
【特許文献３】特開平７−１５２８４４号公報
【特許文献４】特開平７−３２５９５６号公報
【特許文献５】特開平６−８４０５３号公報
【発明の概要】
【発明が解決しようとする課題】
【００１１】
上述した従来技術によれば、利用者の都合に応じて、実行中の取引の中断と再開が可能となり、利用者の利便性向上が期待できる。しかしながら、通常は取引処理装置内の電断検知手段が電断を検知すると、取引処理装置は即時シャットダウンするため、特許文献１に記載された技術では、利用者の意思によって電源断の場合に実行中であった取引を再開することはできないという問題があった。
【００１２】
また、特許文献２に記載された技術では、バックアップ電源により取引処理の運用を停止する理由を表示する場合であっても、その結果のみを利用者に一方的に通知しており、利用者主導で取引処理の中断等を選択する機会はない。この場合、電源断が生じた場合に実行中であった取引処理は強制的に取消される。しかし、取消処理が行われたタイミングによっては、実際に行われた取引処理の結果と、取引処理装置とネットワークを介して接続される上位機器に記録された情報の間に矛盾が生じる場合があり、この矛盾を修正し、かつ利用者が意図する処理から取引処理を再開するためには、電源復旧後に係員が手動で上位機器側に記録されている情報を操作する必要があり煩雑であった。
【００１３】
さらに、特許文献３や特許文献４に記載された技術では、実行中の取引処理に対し、事前に登録した設定に従って媒体の返却や取引処理を実行しているが、各処理は連続的（即時）に実行されるため、利用者が各処理を中断させることができないという問題があった。
【００１４】
また、特許文献５に記載された技術では、電源断が生じた場合には、取引処理装置の内部に種々の情報が記憶され、これらの情報を操作して係員が復旧作業を行うため、利用者自身が取引処理を再開することはできない。
【００１５】
このように、上述した従来技術では、取引処理装置が電源断となった場合において、利用者は、実行中の取引処理を終了させ、または継続させることを利用者が選択できず、利用者に対する取引の利便性が大きく損なわれてしまうという問題があった。
【００１６】
本発明は、上述した課題に鑑みてなされたものであって、電源断が生じた場合に、実行中の取引処理を終了させ、または継続させることを利用者が選択できる取引処理装置を提供することを目的とする。
【課題を解決するための手段】
【００１７】
上述した目的を達成するために、本発明にかかる取引処理装置は、利用者との間で所定の取引を行う取引処理装置であって、外部から供給される電力の供給断を検知する検知部と、前記電力の供給断を前記利用者に知らせる情報、および前記取引の続行を選択させる画面情報を表示する操作部と、前記検知部が前記電力の供給断を検知した場合に、前記取引に関する処理が実行中であるか否か、および前記電力の供給断の状態であるか否かを判定し、前記取引に関する処理が実行中であり、かつ前記電力の供給断の状態であると判定した場合に、前記画面情報を前記操作部に繰り返し表示させる制御部と、を備えることを特徴とする。
【発明の効果】
【００１８】
本発明によれば、電源断が生じた場合に、実行中の取引処理を終了させ、または継続させることを利用者が選択できる取引処理装置を提供することができる。
【図面の簡単な説明】
【００１９】
【図１】本実施形態にかかる金融機関システムの構成を示す図である。
【図２Ａ】操作部に表示される報知画面（取り消し前）の例を示す図である。
【図２Ｂ】操作部に表示される報知画面（取り消し後）の例を示す図である。
【図３Ａ】ＡＴＭが電源断となった場合における電源処理を実行する場合の処理手順を示すフローチャートである。
【図３Ｂ】ＡＴＭが電源断となった場合における電源処理を実行する場合の処理手順を示すフローチャートである（復旧時）。
【発明を実施するための形態】
【００２０】
以下に添付図面を参照して、この発明にかかる取引処理装置の実施の形態を詳細に説明する。
【００２１】
図１は、本実施形態にかかる金融機関システム１０００の構成を示す図である。図１に示すように、金融機関システム１０００は、取引処理装置（以下、ＡＴＭ：Automatic  Teller  Machineと呼ぶ。）１００と、ホストコンピュータ２００と、通信ネットワーク３００と、を含んで構成されている。なお通信ネットワーク３００は、ＷＡＮ（Wide  Area  Network）等の一般的な通信網である。
【００２２】
なお、以下の説明では、取引処理装置を金融機関システム１０００に適用した場合について説明しているが、このようなネットワークを構成しないスタンドアロンの場合や、金融機関システム以外の他のシステムに適用することも可能である。まず、ＡＴＭ１００について説明する。
【００２３】
ＡＴＭ１００は、利用者の操作を受け付けて現金の入金や出金等の各種の取引を行う取ものである。ＡＴＭ１００は、操作部１０１と、カード・明細票機構部１０２と、通帳機構部１０３と、紙幣入出金機構部１０４と、硬貨入出金機構部１０５と、音声案内ガイダンス部１０６と、認証機構部１０７と、電源部１０８と、回線接続部１０９と、制御部１１０と、を含んで構成されている。
【００２４】
操作部１０１は、例えば、タッチパネルから構成され、利用者から入金処理や出金処理、残高照会等の各種の取引の指定を受け付け、またはその指定を受け付けるための入力画面の表示部に表示させる。
【００２５】
また、操作部１０１は、後述する電源部１０８のセンサ１０８１がＡＴＭ１００の電源断を検知した場合において、電源断が発生した旨を利用者に知らせるための報知画面を表示部に表示する。なお、以下の説明では、電源断が発生した旨を利用者に知らせるため手段として報知画面を表示することとしているが、このような画面以外に、電源断が発生した旨後述する音声案内ガイダンス部１０６が音声で報知することとしてもよい。
【００２６】
図２Ａおよび図２Ｂは、上述した報知画面の例を示す図である。図２Ａに示すように、報知画面には、電源断が発生した旨、および電源断が発生した際に実行していた取引の処理を中止させるための取り消しボタン、および電源断が発生した時刻と起点として、後述する電源部１０８の蓄電部１０８２が消耗するまでの時間（経過時間）が表示されている。この経過時間は、後述する制御部１１０のカウンタ１１０３によってカウントされる。
【００２７】
このように、利用者は、電源断が生じた場合であっても、表示部に表示された経過時間を参照することによって、電源が供給されるようになるまで待って、実行中の取引処理を継続するか、あるいは実行中であった取引処理を取り消すか否かを自由に選択することができるようになっている。
【００２８】
図２Ｂは、上述した報知画面が操作部１０１の表示部に表示された場合において、利用者が取り消しボタンを押下した場合の例を示す図である。図２Ｂに示すように、利用者によって取り消しボタンが押下された場合、報知画面には、実行中の取引処理を取り消した旨、およびカード・明細票機構部１０２、通帳機構部１０３に挿入されたＩＣカードや通帳を排出して返却する旨が表示される。続いて図１に戻り、カード・明細票機構部１０２について説明する。
【００２９】
カード・明細票機構部１０２は、利用者が所持するキャッシュカード等のＩＣカードの挿入や排出を行う。また、カード・明細票機構部１０２は、ＩＣカードの磁気ストライプ又はＩＣカードに含まれるＩＣチップに対する読み書き、あるいはＩＣカードのエンボス部分のイメージの読取り等を行う。さらに、カード・明細票機構部１０２は、印字部（不図示）によって取引内容が明細票に印字された場合に、印字された明細票を外部に排出する。
【００３０】
通帳機構部１０３は、利用者が所持する通帳の挿入を受け付けたり、あるいは挿入された通帳を排出する。また、通帳機構部１０３は、挿入された通帳の磁気ストライプ部分の読み取り等を行う。さらに、通帳機構部１０３は、操作部１０１が受け付けた取引の指定に従って実行された取引の結果等が印字部（不図示）によって印字された場合に、印字された通帳を外部に排出する。
【００３１】
紙幣入出金機構部１０４は、利用者から紙幣の入金を受け付け、受け付けた紙幣の鑑別し、その後、鑑別された後の紙幣を紙幣収納庫（不図示）に搬送する。
【００３２】
硬貨入出金機構部１０５は、利用者から硬貨の入金を受け付け、受け付けた硬貨の鑑別し、その後、鑑別された後の硬貨を硬貨収納庫（不図示）に搬送する。
【００３３】
音声案内ガイダンス部１０６は、利用者が操作部１０１を操作した場合に、次の操作を行うための誘導等を不図示のスピーカ等の音声出力装置によって案内するものである。
【００３４】
認証機構部１０７は、利用者の指紋や静脈等の生体情報を読み取り、読み取った生体情報とあらかじめＩＣカードに登録されている生体情報とを比較して、利用者が正当な利用者であるか否かを認証するものである。
【００３５】
電源部１０８は、外部から不図示の電源コードを介して供給される電力をＡＣ／ＤＣ変換し、変換された電力をＡＴＭ１００の各部に電力を供給する主電源である。電源部１０８は、センサ１０８１と、蓄電部１０８２と、を含んで構成されている。
【００３６】
電源部１０８は、後述する制御部１１０の切替部１１０１が、ＡＴＭ１００に供給される電源の供給元を電源部１０８から蓄電部１０８２に切り替えた場合、操作部１０１にのみ電力を供給させ、操作部１０１以外の各部（すなわち主要部分）への電力の供給を停止する。
【００３７】
センサ１０８１は、ＡＴＭ１００が電源断の状態となったか否か、またはＡＴＭ１００が電源断の状態から復旧したか否かを検知する。例えば、センサ１０８１は、ＡＴＭ１００の外部から電源部１０８に供給されている電力の電圧値が一定時間所定の閾値以下となった場合には、ＡＴＭ１００が電源断の状態である旨を検知する。
【００３８】
蓄電部１０８２は、例えば、バッテリから構成され、ＡＴＭ１００が電源断となった場合に、制御部１１０からの指示によって、上述したＡＴＭ１００の各部に対して予備的な電力を供給する。
【００３９】
回線接続部１０９は、ＮＩＣ（Network  Interface  Card）等の通信装置から構成され、ホストコンピュータ２００との間で、通信ネットワーク３００を介して各種の情報の送受信するものである。
【００４０】
制御部１１０は、ＣＰＵ（Central  Processing  Unit）等のプロセッサから構成され、上述したＡＴＭ１００の各部の動作を制御する。制御部１１０は、切替部１１０１と、判別部１１０２と、カウンタ１１０３と、を含んで構成されている。
【００４１】
切替部１１０１は、上述した電源部１０８のセンサ１０８１が、ＡＴＭ１００の電源断を検知した場合、ＡＴＭ１００に供給される電源の供給元を電源部１０８から蓄電部１０８２に切り替えて、蓄電部１０８２から操作部１０１にのみ電力を供給させ、操作部１０１以外の各部への電力の供給を停止させる。
【００４２】
さらに、切替部１０８１は、判別部１１０１が電源断が継続していないと判定した場合、
または電源断が継続していないと判定した場合であって、実行中の取引処理の取り消しが不可能であると判定した場合、電源部１０８が停止していたＡＴＭ１００の各部への給電を再開させる。
【００４３】
判別部１１０２は、切替部１１０１が電源の供給元を電源部１０８から蓄電部１０８２に切り替えた場合において、取引処理が実行中であるか否かを判定する。そして、判別部１１０２は、取引処理が実行中であると判定した場合、実行中の取引処理で用いられている種々の取引情報（例えば、口座番号や暗証番号、入出金金額等の各種の情報）を不図示のメモリ等に記憶させる。
【００４４】
このように、電源断が生じた場合であっても、実行中の取引処理の各種の情報を不図示のメモリ等の記憶媒体に記憶されているので、電源が復旧した後、記憶されたこれらの情報を読み出して取引処理を再開できるため、利用者は取引を改めて最初からやり直す手間を省くことができる。また、係員も介入する必要がないので復旧作業が煩雑となることはない。
【００４５】
また、判定部１１０２は、センサ１０８１が、ＡＴＭ１００の電源断を検知した場合、後述するカウンタ１１０３を起動して、カウンタ１１０３がカウントする経過時間を操作部１０１に表示させる。
【００４６】
また、判別部１１０２は、切替部１１０１が電源の供給元を電源部１０８から蓄電部１０８２に切り替えた場合において、取引処理が実行中でないと判定した場合には、ＡＴＭ１００をシャットダウンさせる。
【００４７】
さらに、判別部１１０２は、切替部１１０１が蓄電部１０８２から操作部１０１にのみ電力を供給させ、操作部１０１以外の各部への電力の供給を停止させた場合において、電源部１０８のセンサ１０８１を参照して、電源断が継続しているか否かを判定する。
【００４８】
また、判別部１１０２は、切替部１０８１が電力の供給を蓄電部１０８２から主電源に切り替えて、電源部１０８からＡＴＭ１００の各部に対する電力の供給を再開させた場合に、不図示のメモリに記憶した種々の取引情報を読み出し、実行中の取引処理を再開させる。
【００４９】
さらに、判別部１１０２は、電源断が継続していると判定した場合において、操作部１０１が報知画面に表示された取り消しボタンが押下された旨を検知したか否かを判定し、操作部１０１が報知画面に表示された取り消しボタンが押下された旨を検知したと判定した場合には、実行中の取引処理を取り消す。
【００５０】
また、判別部１１０２は、実行中の取引処理を取り消す場合において、その取引処理の取り消しが不可能な状態であるか否かを判定し、取引処理の取り消しが不可能な状態であると判定した場合、電源が復旧するまでＡＴＭ１００を待機させる。
【００５１】
ここで、取引処理の取り消しが不可能な状態とは、例えば、ＡＴＭ１００を構成する通帳機構部１０３が物理的に破損し、通帳が利用者に返却できない等、利用者の所有物が返却できないような場合である。なお、取り消し不可能な状態でないと判定した場合については後述する。
【００５２】
そして、判別部１１０２は、電源が復旧するまでＡＴＭ１００を待機させると、再び電源断が継続しているか否かを判定する。このように、判別部１１０２が、電源部１０８のセンサ１０８１が電源断を検知した場合において、一定のタイミングで繰り返しＡＴＭ１００が電源断の状態であるか否かを判定している。このタイミングとしては、本実施の形態においては、上述した切替部１１０１が電源を切り替えた場合、操作部１０１の表示部に表示された報知画面から実行中の取引処理の取り消しがなされた場合等として説明している。
【００５３】
しかし、例えば、入金処理であれば、紙幣入出金機構部１０４から入金された紙幣を鑑別する処理まで行った後に一旦報知画面を表示し、その後、鑑別された紙幣を収納庫（不図示）まで搬送した後に、再び報知画面を表示する等、複数の処理を行う場合には書く処理が終了したタイミング等、これら以外のタイミングで電源断であるか否かを判定することとしてもよい。この場合、より細かいタイミングで利用者による選択が可能となり、さらに利便性が向上することとなる。
【００５４】
また、判別部１１０２は、上述したように電源断の状態であるか否かを判定した場合において、未だ電源断の状態が継続していると判定した場合には、電源部１０８の蓄電部１０８２が蓄電するバッテリの残量が閾値以下であるか否かを判定する。なお、この閾値は、あらかじめ不図示のメモリ等の記憶媒体に記憶され、具体的には、ＡＴＭ１００の各部が、利用者のＩＣカードや通帳の排出等を行うために必要な電力量にマージンを加算したものである。
【００５５】
そして、判別部１１０２は、電源部１０８の蓄電部１０８２が蓄電するバッテリの残量が閾値以下であると判定した場合、さらに、実行中の取引処理の取り消しが不可能であるか否かを判定し、実行中の取引処理の取り消しが不可能であると判定した場合、ＡＴＭ１００をシャットダウンさせる。
【００５６】
また、判別部１１０１は、切替部１１０１が、電源部１０８が停止していたＡＴＭ１００の各部への給電を再開させた場合、実行中の取引処理を取り消し、カード・明細票機構部１０２や通帳機構部１０３に挿入されたＩＣカードや通帳等を排出させて取引処理を終了し、ＡＴＭ１００をシャットダウンさせる。
【００５７】
カウンタ１１０３は、電源部１０８のセンサ１０８１が電源断を検知した場合、電源断が発生した時刻と起点として、蓄電部１０８２のバッテリが消耗するまでの経過時間をカウントする。続いて、ホストコンピュータ２００について説明する。
【００５８】
図１に示すように、ホストコンピュータ２００は、記憶部２０１と、口座情報ファイル制御部２０２と、回線接続部２０３と、ホストコンピュータ制御部２０４と、を含んで構成されている。
【００５９】
記憶部２０１は、ＨＤＤ（Hard  Disk  Drive）等の記憶装置から構成され、利用者の口座番号や店番号のほか利用者の暗証番号等の口座情報が記録された口座情報ファイル２０１１を含んでいる。
【００６０】
口座情報ファイル制御部２０２は、ＡＴＭ１００の操作部１０１が、利用者から受け付けた取引の種類に応じて、ＡＴＭ１００との間で必要な処理を行う際に、記憶部２０１の口座情報ファイル２０１１を参照して、暗証番号等の認証を行った上で、例えば、出金処理を行う場合には、残高金額から出金金額を差し引く等の帳簿上の処理を行う。
【００６１】
回線接続部２０３は、ＮＩＣ（Network  Interface  Card）等の通信装置から構成され、ＡＴＭ１００との間で、通信ネットワーク３００を介して各種の情報の送受信するものである。
【００６２】
ホストコンピュータ制御部２０４は、ＣＰＵ（Central  Processing  Unit）等のプロセッサから構成され、上述したホストコンピュータ２００の各部の動作を制御する。
【００６３】
続いて、上述した金融機関システム１０００のＡＴＭ１００が行う処理手順について説明する。図３Ａおよび図３Ｂは、ＡＴＭ１００が電源断となった場合における電源処理（電源断となった状態から電源が復旧した状態に移行するまでの処理）を実行する場合の処理手順を示すフローチャートである。以下の説明では、利用者がＡＴＭ１００との間で取引を実行中に、ＡＴＭ１００が電源断となった状態にあるものとする。
【００６４】
図３Ａに示すように、まず、ＡＴＭ１００の電源部１０８のセンサ１０８１は、ＡＴＭ１００の電源断を検知すると（ステップＳ４００）、制御部１１０は、ＡＴＭ１００に供給される電源の供給元を電源部１０８から蓄電部１０８２に切り替える（ステップＳ４０１）。
【００６５】
そして、制御部１１０の判別部１１０１が、取引処理が実行中であるか否かを判定し（ステップＳ４０２）、取引処理が実行中でないと判定した場合（ステップＳ４０２；Ｎｏ）、ステップＳ４１２に進み、ＡＴＭ１００をシャットダウンする（ステップＳ４１２）。
【００６６】
一方、判別部１１０１が、取引処理が実行中であると判定した場合（ステップＳ４０２；Ｙｅｓ）、実行中の取引処理で用いられている種々の取引情報を不図示のメモリ等に記憶させる（ステップＳ４０３）。
【００６７】
その後、切替部１１０１は、蓄電部１０８１から操作部１０１にのみ電力を供給させ、操作部１０１以外の各部への電力の供給を停止し（ステップＳ４０４）、判別部１１０１は、電源部１０８のセンサ１０８１を参照して、電源断が継続しているか否かを判定する（ステップＳ４９０）。
【００６８】
そして、判別部１１０１が、電源断が継続していると判定した場合（ステップＳ４９０；Ｙｅｓ）、報知画面を操作部１０１の表示部に表示する（ステップＳ４０５）。
【００６９】
一方、判別部１１０１が、電源断が継続していないと判定した場合（ステップＳ４９０；Ｎｏ）、図３Ｂに示す再開処理を行う。
【００７０】
図３Ｂに示すように、ステップＳ４９０において、判別部１１０１が、電源断が継続していないと判定すると、切替部１０８１は、電力の供給を蓄電部１０８２から主電源に切り替える（ステップＳ５０１）。
【００７１】
その後、電源部１０８がＡＴＭ１００の各部に対する電力の供給を再開し（ステップＳ５０２）、判別部１１０２がステップＳ４０３で記憶した種々の取引情報を読み出し（ステップＳ５０３）、実行中の取引処理を再開させる（ステップＳ５０４）。このステップＳ５０４の処理が終了すると、図３Ｂに示す再開処理のすべての処理が終了する。続いて、図３Ａに戻り、ステップＳ４０５以降の各処理について説明する。
【００７２】
ステップＳ４０５において、制御部１１０が、操作部１０１の表示部に報知画面を表示させると、再び、判別部１１０２は、電源断が継続しているか否かを判定する（ステップＳ４９１）。
【００７３】
そして、判別部１１０２が、再び電源断が継続していないと判定した場合（ステップＳ４９１；Ｎｏ）、図３Ｂに示す再開処理に進む。再開処理の具体的な内容については、上述した内容と同様であるため、ここではその説明を省略する。
【００７４】
一方、判別部１１０２が、再び電源断が継続していると判定した場合（ステップＳ４９１；Ｙｅｓ）、さらに判別部１１０２は、操作部１０１が報知画面に表示された取り消しボタンが押下された旨を検知したか否かを判定する（ステップＳ４０６）。判別部１１０２が、操作部１０１が報知画面に表示された取り消しボタンが押下された旨を検知したと判定した場合（ステップＳ４０６；Ｙｅｓ）、実行中の取引処理を取り消す（ステップＳ４０７）。
【００７５】
その後、判別部１１０２は、取引処理の取り消しが不可能な状態であるか否かを判定する（ステップＳ４０８）。そして、取引処理の取り消しが不可能な状態であると判定した場合（ステップＳ４０８；Ｙｅｓ）、電源が復旧するまでＡＴＭ１００を待機させる（ステップＳ４０９）。
【００７６】
一方、判別部１１０２が、取引処理の取り消しが不可能な状態ではないと判定すると（ステップＳ４０８；Ｎｏ）、ステップＳ４３０に進む。
【００７７】
そして、切替部１１０１は、停止していたＡＴＭ１００の各部への給電を再開し（ステップＳ４３０）、判別部１１０２は、実行中の取引処理を取り消し（ステップＳ４３１）、その後、カード・明細票機構部１０２や通帳機構部１０３に挿入されたＩＣカードや通帳等を排出し（ステップＳ４３２）、取引処理を終了させて（ステップＳ４３３）、ＡＴＭ１００をシャットダウンさせる（ステップＳ４１２）。
【００７８】
ステップＳ４０９において、判別部１１０２が、電源が復旧するまでＡＴＭ１００を待機させると、さらに再び、電源断が継続しているか否かを判定し（ステップＳ４９２）、電源断が継続していないと判定した場合（ステップＳ４９２；Ｎｏ）、図３Ｂに示す再開処理に進む。
【００７９】
一方、判別部１１０２が、電源断が継続していると判定した場合（ステップＳ４９２；Ｙｅｓ）、さらに、判別部１１０２は、電源部１０８の蓄電部１０８２が蓄電するバッテリの残量が閾値以下であるか否かを判定する（ステップＳ４１０）。
【００８０】
そして、判別部１１０２が、バッテリの残量が閾値以下でないと判定した場合（ステップＳ４１０；Ｎｏ）、ステップＳ４０９に戻ってそのまま待機を続ける。
【００８１】
一方、判別部１１０２が、バッテリの残量が閾値以下であると判定した場合（ステップＳ４１０；Ｙｅｓ）、さらに、実行中の取引処理の取り消しが不可能であるか否かを判定する（ステップＳ４１１）。
【００８２】
そして、判別部１１０２が、実行中の取引処理の取り消しが不可能であると判定した場合（ステップＳ４１１；Ｙｅｓ）、ＡＴＭ１００をシャットダウンする（ステップＳ４１２）。
【００８３】
一方、判別部１１０２が、実行中の取引処理の取り消しが不可能であると判定した場合（ステップＳ４１１；Ｎｏ）、ステップＳ４０８で判定した場合と同様に、ステップＳ４３０に進み、ステップＳ４３０〜４３３、Ｓ４１２の各処理を行う。このように図３Ａに示すステップＳ４１２の処理、または図３Ｂに示すステップＳ５０４の処理が終了すると、本実施の形態におけるすべての処理が終了する。
【００８４】
このように、利用者との間で所定の取引を行うＡＴＭ１００において、センサ１０８１が、外部から供給される電力の供給断を検知し、操作部１０１が、電力の供給断を利用者に知らせる情報、および取引の続行を選択させる画面情報（報知画面）を表示し、制御部１１０（判別部１１０２）が、センサ１０８１が電力の供給断を検知した場合に、取引に関する処理が実行中であるか否か、および電力の供給断の状態であるか否かを判定し、取引に関する処理が実行中であり、かつ電力の供給断の状態であると判定した場合に、画面情報（報知画面）を操作部１０１に繰り返し表示させるので、電源断が生じた場合に、実行中の取引処理を終了させ、または継続させることを利用者が選択できる。
【００８５】
例えば、ＡＴＭ１００が電源断となった場合であっても、ＡＴＭ１００自体が瞬時にシャットダウンして、実行中の取引処理が強制的に終了してしまうことを抑止することができる。そして、ＡＴＭ１００の電源が復旧した後、ＡＴＭ１００を正常な状態へと戻すための種々の設定、あるいは強制的に終了された取引処理を再開するための種々の手続きが不要となり、係員が介入する必要もなくなる。また、ＡＴＭ１００自体が瞬時にシャットダウンして、実行中の取引処理が強制的に終了してしまうことがないため、例えば、ホストコンピュータ２００に記憶されている口座情報等のマスタデータとの間に生じる矛盾を軽減できる。
【００８６】
なお、上述した実施の形態においては、判別部１１０２は、取引処理が実行中であるか否かによって利用者がＡＴＭ１００との間で取引を行っているか否かを判定したが、例えば、ＡＴＭ１００にＣＣＤ（Charge  Coupled  Device）カメラ等の撮像装置を備え、撮像装置が撮像した画像に利用者が含まれているか否かを判定し、その画像に利用者が含まれていると判定した場合に、取引処理が実行中であると判定することとしてもよい。
【００８７】
本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００８８】
１０００…金融機関システム、１００…現金自動取引装置（ＡＴＭ）、１０１…操作部、１０２…カード・明細票機構部、１０３…通帳機構部、１０４…紙幣入出金機構部、１０５…硬貨入出金機構部、１０６…音声案内ガイダンス部、１０７…認証機構部、１０８…電源部、１０８１…センサ、１０８２…蓄電部、１０９…回線接続部（ＡＴＭ側）、１１０…制御部、１１０１…切替部、１１０２…判別部、１１０３…カウンタ、２００…ホストコンピュータ、２０１…ファイル部、２０１１…口座情報ファイル、２０２…口座情報ファイル制御部、２０３…回線接続部（ホストコンピュータ側）、２０４…ホストコンピュータ制御部。
【図１】
0005384237.tif 000002
【図２Ａ】
0005384237.tif 000003
【図２Ｂ】
0005384237.tif 000004
【図３Ａ】
0005384237.tif 000005
【図３Ｂ】
0005384237.tif 000006